(57)【要約】【課題】反転用搬送路の不具合の回復処理作業等を簡単に行える媒体処理装置を提案すること。【解決手段】媒体処理装置１は、装置本体部２と、装置本体部２に対して、予め定めた開閉中心線４０回りに開閉可能に取り付けた反転ユニット３を有している。装置本体部２は、シート状の媒体Ｐを搬送する本体側搬送路１３および本体側搬送路１３に沿って搬送される媒体Ｐに所定の処理を行う媒体処理部２２を備えている。反転ユニット３は、本体側搬送路１３から送り込まれる媒体Ｐを、その表裏を反転させて本体側搬送路１３に戻す反転用搬送路１４を備えている。反転ユニット３を開くと、反転用搬送路１４の一部が開放状態になる。【選択図】図４
2014166893.tif 000002
【特許請求の範囲】
【請求項１】
装置本体部と、
前記装置本体部に対して、予め定めた開閉中心線回りに開閉可能に取り付けた反転ユニットと、
を有し、
前記装置本体部は、シート状の媒体を搬送する本体側搬送路、および、前記本体側搬送路に沿って搬送される媒体に所定の処理を行う媒体処理部を備え、
前記反転ユニットは、前記本体側搬送路から送り込まれる媒体を、その表裏を反転させて前記本体側搬送路に戻す反転用搬送路を備えていることを特徴とする媒体処理装置。
【請求項２】
前記反転ユニットは、その開閉方向の閉じ側の第１ユニット面および開き側の第２ユニット面を備え、
前記反転用搬送路の一部の搬送路部分は、前記第１ユニット面と前記装置本体部の間に形成され、前記反転ユニットを開くと開放状態になり、
前記開閉中心線は、前記第１ユニット面よりも前記第２ユニット面に近い位置にある請求項１に記載の媒体処理装置。
【請求項３】
前記装置本体部と前記反転ユニットの間を接続する配線を通す配線部を有し、
前記装置本体部および前記反転ユニットは、前記開閉中心線の方向から常に対峙している本体部端面部分およびユニット端面部分を備え、
前記配線部は、前記本体部端面部分および前記ユニット端面部分に設けられている請求項１または２に記載の媒体処理装置。
【請求項４】
前記装置本体部は、前記本体部端面部分に形成されていると共に、前記開閉中心線を規定している本体部回動軸部を備え、
前記反転ユニットは、前記ユニット端面部分に形成されていると共に、前記開閉中心線を規定しているユニット回動軸部を備え、
前記配線部は、前記本体端面部分を前記開閉中心線の方向に貫通する本体部配線穴、および、前記ユニット端面部分を前記開閉中心線の方向に貫通するユニット配線穴を備え、
前記本体部配線穴および前記ユニット配線穴のうちの少なくとも一方は、前記開閉中心線を中心として所定の角度を張る穴形状を備えている請求項３に記載の媒体処理装置。
【請求項５】
前記反転ユニットは、
前記反転用搬送路に沿って媒体を搬送する媒体搬送部材と、
前記媒体搬送部材を回転駆動する駆動源と、
前記駆動源からの回転力を前記媒体搬送部材に伝達する動力伝達機構と、
前記駆動源から、前記配線部を介して、前記装置本体部に引き出されている給電用配線を含む配線群と、
を備えている請求項３または４に記載の媒体処理装置。
【請求項６】
前記反転ユニットに配置した経路切替部材と、
前記反転ユニットを閉じ位置にロックするロック機構と、
前記ロック機構によるロックが解除されると、前記経路切替部材を、前記反転ユニットから突出した突出位置から前記反転ユニット内に引き込む引き込み機構と、
を有している請求項１ないし５のうちのいずれかの一つの項に記載の媒体処理装置。
【請求項７】
前記経路切替部材は、前記本体側搬送路から前記反転用搬送路の上流端に媒体を案内する第１切替位置、および、前記反転用搬送路の下流端を前記本体側搬送路に連通させる第２切替位置に切り替え可能な状態で、前記反転ユニットに取り付けられ、
前記経路切替部材は、自重により、前記第１切替位置に保持され、前記反転用搬送路の下流端から前記本体側搬送路に向かう媒体によって、前記第１切替位置から前記第２切替位置に押し上げ可能である請求項６に記載の媒体処理装置。
【請求項８】
前記ロック機構は、
前記装置本体部に配置した本体側係合部と、
前記本体側係合部に係合したロック位置から前記本体側係合部との係合が解除されるロック解除位置に操作可能な状態で、前記反転ユニットに取り付けた操作レバーと、
前記反転ユニットに配置され、前記操作レバーを前記ロック位置に向けて付勢しているロック用付勢部材と、
を備え、
前記引き込み機構は、前記操作レバーの前記ロック解除位置への移動に連動して、前記経路切替部材を前記反転ユニット内に引き込む請求項６または７に記載の媒体処理装置。
【請求項９】
前記ロック機構は、前記操作レバーを前記ロック解除位置に保持するロック解除保持機構を備え、
前記ロック解除保持機構は、
前記ロック解除位置にある前記操作レバーに係合可能な係合位置、および、前記ロック解除位置にある前記操作レバーに係合しない非係合位置にスライド可能な状態で、前記反転ユニットに取り付けたレバー係合部材と、
前記反転ユニットに配置され、前記レバー係合部材を前記係合位置に向けて付勢している係合用付勢部材と、
前記装置本体部に配置された本体側当接部と、
を備え、
前記反転ユニットが閉じ位置の状態では、前記レバー係合部材は前記本体側当接部によって前記非係合位置に押され、前記操作レバーは前記ロック解除位置に操作可能であり、
前記操作レバーが前記ロック解除位置に操作されて前記反転ユニットが前記閉じ位置から開き方向に移動すると、前記レバー係合部材は前記本体側当接部から離れて前記係合位置にスライドして、前記操作レバーを前記ロック解除位置に保持する請求項８に記載の媒体処理装置。
【請求項１０】
前記装置本体部は、媒体を収納する媒体収納部、および、前記媒体収納部の媒体を前記本体側搬送路に供給する媒体供給路を備え、
前記反転用搬送路における媒体搬送方向の下流端から上流側に向けて所定の距離の搬送路部分は、前記媒体供給路における媒体供給方向の下流端側の供給路部分と共通の共通経路である請求項６ないし９のうちのいずれか一つの項に記載の媒体処理装置。
【請求項１１】
前記本体側搬送路は直線状に延びる経路であり、
前記本体側搬送路を挟み、当該本体側搬送路の上側に前記媒体処理部が配置され、下側に前記媒体収納部および前記媒体供給路が配置され、
前記反転ユニットは、前記装置本体部に対して、前記本体側搬送路の媒体搬送方向の上流側に配置され、
前記反転ユニットは、前記本体側搬送路に対して、上側に位置するユニット上部、および、下側に位置するユニット下部を備え、
前記ユニット上部に、前記ロック機構および前記引き込み機構が配置され、
前記ユニット下部に、前記反転用搬送路が配置されている請求項１０に記載の媒体処理装置。
【請求項１２】
前記反転用搬送路は、前記本体側搬送路の上流端に連続して前記装置本体部から離れる方向に延びる上側経路、この上側経路に連続して前記上下方向の下方に延びる下向き経路、この下向き経路に連続して前記装置本体部の側に向けて延びる下側経路、および、この下側経路から前記上下方向の上側に延びる上向き経路を備え、
前記上向き経路の下流端が前記共通経路に連通しており、
前記本体側搬送路の上流端、前記反転用搬送路の上流端、および前記共通経路の下流端の合流位置に、前記経路切替部材が配置されている請求項１１に記載の媒体処理装置。
【請求項１３】
前記反転用搬送路の両面は、ガイド部材によって規定されており、
前記ユニット下部は、前記反転用搬送路に沿って媒体を搬送する媒体搬送機構を備え、
前記媒体搬送機構は、前記反転用搬送路に沿って配置された少なくとも第１搬送ローラーおよび第２搬送ローラーと、回転駆動源と、前記回転駆動源の回転を前記第１搬送ローラーおよび前記第２搬送ローラーに伝達する動力伝達機構とを備え、
前記第１搬送ローラーは、前記上側経路と前記下向き経路の間の位置に配置され、
前記第２搬送ローラーは、前記下側経路と前記上向き経路の間の位置に配置され、
前記下向き経路および前記上向き経路の間に、前記回転駆動源が配置され、
前記反転用搬送路における幅方向の端に、前記動力伝達機構が配置されている請求項１２に記載の媒体処理装置。
【請求項１４】
前記媒体処理部は、前記媒体に印刷を行う印刷ヘッドを備えている請求項１ないし１３のうちのいずれか一つの項に記載の媒体処理装置。
【発明の詳細な説明】
【技術分野】
【０００１】
本発明は、記録紙等のシート状の媒体を、表裏を反転させて送り出す反転用搬送路を備えた媒体処理装置に関する。
【背景技術】
【０００２】
この種の反転用搬送路を備えた媒体処理装置としては、両面自動プリント機能を備えたプリンター、両面自動読取機能を備えたスキャナーやファクシミリ、その他の電子機器が知られている。例えば、両面自動プリント機能を備えたプリンターでは、記録紙は、その表面に印刷が施された後に、反転用搬送路を経由して表裏が反転され、裏面に印刷が施される。
【０００３】
反転用搬送路は、プリンターの本体部に一体的に組み込まれる場合がある。また、反転用搬送路を備えた反転ユニットが、プリンターの本体部に対して、着脱可能に取り付けられる場合がある。特許文献１、２には、着脱可能な反転ユニットを備えた電子機器、記録装置が提案されている。
【先行技術文献】
【特許文献】
【０００４】
【特許文献１】特開２０１０−２８０４５４号公報
【特許文献２】特開２０１０−２７４５８０号公報
【発明の概要】
【発明が解決しようとする課題】
【０００５】
着脱可能な反転ユニットの場合には、プリンターの本体部の内部に反転用搬送路が配置されている場合に比べて、反転用搬送路に用紙詰まり等の不具合が発生した場合の回復処理が容易である。例えば、反転用搬送路に詰まった用紙を除去する操作が容易である。しかしながら、反転ユニットを外した際に、反転ユニットが誤って落下して破損する可能性がある。また、取り外した反転ユニットの置き場所に困る場合も想定される。
【０００６】
本発明の課題は、このような点に鑑みて、装置本体部から取り外す必要がなく、かつ、反転用搬送路の不具合の回復処理を簡単に行うことのできる媒体処理装置を提案することにある。
【課題を解決するための手段】
【０００７】
上記の課題を解決するために、本発明の媒体処理装置は、
装置本体部と、
前記装置本体部に対して、予め定めた開閉中心線回りに開閉可能に取り付けた反転ユニットと、
を有し、
前記装置本体部は、シート状の媒体を搬送する本体側搬送路、および、前記本体側搬送路に沿って搬送される媒体に所定の処理を行う媒体処理部を備え、
前記反転ユニットは、前記本体側搬送路から送り込まれる媒体を、その表裏を反転させて前記本体側搬送路に戻す反転用搬送路を備えていることを特徴とする。
【０００８】
本発明の媒体処理装置の反転ユニットは、装置本体部に対して開閉可能に取り付けられている。着脱式の反転ユニットの場合のように、取り外した反転ユニットが落下して破損する等のおそれがない。また、取り外した反転ユニットの置き場所に困ることもない。さらに、装置本体部に反転用搬送路が組み込まれている場合とは異なり、着脱式の反転ユニットの場合と同様に、紙詰まり等の反転用搬送路の不具合の回復処理も容易である。
【０００９】
本発明の媒体処理装置において、
前記反転ユニットは、その開閉方向の閉じ側の第１ユニット面および開き側の第２ユニット面を備え、
前記反転用搬送路の一部の搬送路部分は、前記第１ユニット面と前記装置本体部の間に形成され、前記反転ユニットを開くと開放状態になり、
前記開閉中心線は、前記第１ユニット面よりも前記第２ユニット面に近い位置にあることが望ましい。
【００１０】
反転ユニットの開閉中心は、装置本体部と反転ユニットの間に形成される搬送路部分に対して、反転ユニットの側に離れた位置にある。よって、反転ユニットを開けた状態において、当該搬送路部分を大きく開けることが容易であり、当該搬送路部分の紙詰まり等の不具合の回復作業等が容易である。
【００１１】
本発明の媒体処理装置は、
前記装置本体部と前記反転ユニットの間を接続する配線を通す配線部を有し、
前記装置本体部および前記反転ユニットは、前記開閉中心線の方向から常に対峙している本体部端面部分およびユニット端面部分を備え、
前記配線部は、前記本体部端面部分および前記ユニット端面部分に設けられていることが望ましい。
【００１２】
固定側の装置本体部と開閉側の反転ユニットの間の配線は、反転ユニットの開閉に支障を来すことのないように、十分な余長を持って引き回す必要があり、配線スペースを多く必要とする。本発明では、反転ユニットの開閉に拘わらず、常に対峙している本体部端面部分およびユニット端面部分を利用して、配線を配置している。すなわち、開閉中心線近傍の部分を利用して配線を通している。この部分では、反転ユニットの開閉に伴う配線の移動範囲が極めて少ないので、狭い配線用スペースでよく、配線の余長も少なくて済む。
【００１３】
ここで、前記装置本体部は、前記本体部端面部分に形成されていると共に、前記開閉中心線を規定している本体部回動軸部を備え、前記反転ユニットは、前記ユニット端面部分に形成されていると共に、前記開閉中心線を規定しているユニット回動軸部を備えている。この場合、前記配線部を、前記本体部端面部分を前記開閉中心線の方向に貫通する本体部配線穴、および、前記ユニット端面部分を前記開閉中心線の方向に貫通するユニット配線穴とすることができる。また、前記本体部配線穴および前記ユニット配線穴のうちの少なくとも一方は、前記開閉中心線を中心として所定の角度を張る穴形状とすることができる。
【００１４】
本発明の媒体処理装置において、前記反転ユニットの反転用搬送路に沿って精度良く媒体を搬送でき、紙詰まり等が起きないようにするためには、前記反転用搬送路に沿って媒体を搬送する搬送ローラー等の媒体搬送部材と、前記媒体搬送部材を回転駆動する駆動源と、前記駆動源からの回転力を前記媒体搬送部材に伝達する動力伝達機構と、を備えていることが望ましい。この場合には、前記駆動源から前記装置本体部に引き出されている給電用配線を含む配線群を、前記配線部を介して配置すればよい。
【００１５】
次に、本発明の媒体処理装置は、
前記反転ユニットに配置した経路切替部材と、
前記反転ユニットを閉じ位置にロックするロック機構と、
前記ロック機構によるロックが解除されると、前記経路切替部材を、前記反転ユニットから突出した突出位置から前記反転ユニット内に引き込む引き込み機構と、
を有し、
前記経路切替部材は、自重により、前記本体側搬送路から前記反転用搬送路の上流端に媒体を案内する第１切替位置に保持され、前記反転用搬送路の下流端から前記本体側搬送路に向かう媒体によって押し上げられると、前記下流端を前記本体側搬送路に連通させる第２切替位置に切り替わることを特徴としている。
【００１６】
反転ユニットを装置本体部から開いたときに、経路切替部材が突出したままであると、経路切替部材が他の部分に当り、破損するおそれがある。また、反転ユニットを開けた操作者の指、手等に経路切替部材が当るおそれがある。本発明では、反転ユニットを開けるためにロック機構によるロックを解除すると、経路切替部材が反転ユニットの側に引き込まれる。よって、経路切替部材が突出したままの状態で反転ユニットが開く場合の弊害を解消できる。
【００１７】
ここで、前記ロック機構は、
前記装置本体部に配置した本体側係合部と、
前記本体側係合部に係合したロック位置から前記本体側係合部との係合が解除されるロック解除位置に操作可能な状態で、前記反転ユニットに取り付けた操作レバーと、
前記反転ユニットに配置され、前記操作レバーを前記ロック位置に向けて付勢しているロック用付勢部材と、
を備えた構成とすることができる。この場合、前記引き込み機構は、前記操作レバーの前記ロック解除位置への移動に連動して、前記経路切替部材を前記反転ユニット内に引き込む構成とすることができる。
【００１８】
また、前記ロック機構は、前記操作レバーを前記ロック解除位置に保持するロック解除保持機構を備えていることが望ましい。
【００１９】
前記ロック解除保持機構は次の構成とすることができる。
前記ロック解除位置にある前記操作レバーに係合可能な係合位置および当該操作レバーに係合しない非係合位置にスライド可能な状態で、前記反転ユニットに取り付けたレバー係合部材と、前記反転ユニットに配置され、前記レバー係合部材を前記係合位置に向けて付勢している係合用付勢部材と、前記装置本体部に配置された本体側当接部と、を備え、
前記反転ユニットが閉じ位置の状態では、前記レバー係合部材は前記本体側当接部によって前記非係合位置に押され、前記操作レバーは前記ロック解除位置に操作可能であり、
前記操作レバーが前記ロック解除位置に操作されて前記反転ユニットが前記閉じ位置から開き方向に移動すると、前記レバー係合部材は前記本体側当接部から離れて前記係合位置にスライドして前記操作レバーを前記ロック解除位置に保持する。
【００２０】
次に、本発明の媒体処理装置は、
前記装置本体部は、媒体を収納する媒体収納部、および、前記媒体収納部の媒体を前記本体側搬送路に供給する媒体供給路を備え、
前記反転用搬送路における媒体搬送方向の下流端から上流側に向けて所定の距離の搬送路部分は、前記媒体供給路における媒体供給方向の下流端側の媒体供給路部分と共通の共通経路であることを特徴としている。
【００２１】
この場合において、更なる装置の小型・コンパクト化を達成するために、本発明の媒体処理装置は、以下の装置レイアウトを採用している。すなわち、
前記本体側搬送路は直線状に延びる経路であり、
前記本体側搬送路を挟み、当該本体側搬送路に垂直な上下方向の上側に前記媒体処理部が配置され、下側に前記媒体収納部および前記媒体供給路が配置され、
前記反転ユニットは、前記装置本体部に対して、前記本体側搬送路の媒体搬送方向の上流側に配置され、
前記反転ユニットは、前記本体側搬送路に対して、前記上下方向の上側に位置するユニット上部、および、下側に位置するユニット下部を備え、
前記ユニット上部に、前記反転ユニットの前記ロック機構および前記経路切替部材の前記引き込み機構が配置され、
前記ユニット下部に、前記反転用搬送路が配置されている。
【００２２】
次に、反転用搬送路はループ状の経路を用いることができる。本発明では、前記反転用搬送路は、前記本体側搬送路の上流端に連続して前記装置本体部から離れる方向に延びる上側経路、この上側経路に連続して前記上下方向の下方に延びる下向き経路、この下向き経路に連続して前記装置本体部の側に向けて延びる下側経路、および、この下側経路から前記上下方向の上側に延びる上向き経路を備え、
前記上向き経路の下流端が前記共通経路に連通しており、
前記本体側搬送路の上流端、前記反転用搬送路の上流端、および前記共通経路の下流端の合流位置に、前記経路切替部材が配置されている。
【００２３】
この場合、紙詰まり等の搬送不具合を解消するために、前記反転用搬送路の両面は、ガイド部材によって規定されていることが望ましい。また、前記ユニット下部は、前記反転用搬送路に沿って媒体を搬送する媒体搬送機構を備え、前記媒体搬送機構は、前記反転用搬送路に沿って配置された少なくとも第１搬送ローラーおよび第２搬送ローラーと、回転駆動源と、前記回転駆動源の回転を前記第１搬送ローラーおよび前記第２搬送ローラーに伝達する動力伝達機構とを備え、前記第１搬送ローラーは、前記上側経路と前記下向き経路の間の位置に配置され、前記第２搬送ローラーは、前記下側経路と前記上向き経路の間の位置に配置されていることが望ましい。この場合には、前記下向き経路および前記上向き経路の間に、前記回転駆動源を配置し、前記動力伝達機構を、前記反転用搬送路に対して、その幅方向の端に配置することができる。
【００２４】
次に、本発明の媒体処理装置は、両面印刷可能なプリンターに適用することができる。この場合、前記媒体処理部は、前記媒体に印刷を行う印刷ヘッドを備えた構成とされる。
【図面の簡単な説明】
【００２５】
【図１】本発明を適用したプリンターを示す前側斜視図である。
【図２】図１のプリンターの後側斜視図である。
【図３】図１のプリンターの概略縦断面図および部分断面図である。
【図４】図１のプリンターの後側斜視図であり、反転ユニットを開けた状態を示す。
【図５】図１のプリンターの後側斜視図であり、背面カバーを開けた状態を示す。
【図６】図１のプリンターの反転ユニットを示す前側斜視図である。
【図７】図６の反転ユニットの分解斜視図である。
【図８】図６の反転ユニットのユニット下部の分解斜視図である。
【図９】図６の反転ユニットの内部を示す前側斜視図である。
【図１０】図６の反転ユニットのユニット上部の分解斜視図である。
【図１１】図６の反転ユニットのユニット上部の内部を示す斜視図である。
【図１２】図１１の状態の反転ユニットの後側斜視図である。
【図１３】図６の反転ユニットのユニット上部の内部を示す部分拡大斜視図である。
【図１４】図１１の反転ユニットの一部を拡大して示す部分拡大斜視図である。
【発明を実施するための形態】
【００２６】
以下に、図面を参照して、本発明を適用した媒体処理装置の実施の形態を説明する。以下の実施の形態は、本発明を両面印刷可能なプリンターに適用したものであるが、本発明は、反転ユニットを備えたスキャナー、ファクシミリ等のプリンター以外の媒体処理装置に対しても同様に適用可能である。
【００２７】
［プリンターの全体構成］
図１は本実施の形態に係るインクジェットプリンター（以下、単に「プリンター」という。）を前方から見た場合の外観斜視図であり、図２はプリンターを後方から見た場合の外観斜視図である。また、図３（ａ）はプリンターの内部構成を示す概略縦断面図であり、図３（ｂ）は部分縦断面図である。
【００２８】
図１、図２を主に参照して、プリンター１の全体的な形状を説明する。プリンター１は、プリンター本体部２と反転ユニット３を備えている。プリンター本体部２は、全体としてプリンター幅方向Ｘに長い直方体形状をしており、その背面の中央部分には凹部４が形成されており、ここに、反転ユニット３が装着されている。反転ユニット３は、シート状の媒体である印刷用紙（以下、単に「用紙」という。）の表裏を反転させた状態で当該用紙をプリンター本体部２に戻すためのユニットである。また、反転ユニット３は、後述のように開閉式の反転ユニットであり、そのプリンター上下方向の下端部分を中心として、プリンター前後方向Ｙの後方に開けることが可能である。
【００２９】
プリンター本体部２の前面には、給紙カセット装着部５が設けられている。給紙カセット装着部５は、プリンター本体部２の前面におけるプリンター上下方向Ｚの下側部分において、プリンター前後方向Ｙの前方に開口している。給紙カセット装着部５には、前方から給紙カセット６が着脱可能に装着されている。給紙カセット装着部５の上側には排紙トレイ７が取り付けられている。排紙トレイ７は前方に略水平に突出している。排紙トレイ７の上側には、プリンター後方に延びる矩形の排紙口８が形成されている。
【００３０】
排紙口８の上側のプリンター前面部分は操作面９となっている。操作面９には、電源スイッチ９ａ、複数の状態表示ランプ９ｂ等が配列されている。排紙トレイ７および排紙口８の両側のプリンター前面部分には、矩形の開閉蓋１０ａ、１０ｂが取り付けられている。これらの開閉蓋１０ａ、１０ｂを開けると、インクカートリッジ装着部（図示せず）が開口し、インクカートリッジ（図示せず）の交換等を行うことができる。プリンター上面部分は略平坦な面となっており、その中央部分には、メンテナンス用の開閉蓋１１が取り付けられている。
【００３１】
［プリンターの内部構成］
図３を参照して、プリンター１の内部構成、特に、用紙搬送経路を説明する。プリンター１の内部には、用紙供給路１２、本体側搬送路１３および反転用搬送路１４が形成されている。用紙供給路１２および本体側搬送路１３は、プリンター本体部２の内部に形成されており、反転用搬送路１４は反転ユニット３の内部に形成されている。
【００３２】
用紙供給路１２は、給紙カセット６に積層状態で収納されている所定寸法の用紙Ｐを本体側搬送路１３に供給する搬送経路である。用紙供給路１２は、給紙カセット装着部５におけるプリンター前後方向Ｙの後端部分から、プリンター後方に向けて斜め上方に延び、プリンター前方に湾曲して、本体側搬送路１３に繋がっている。給紙カセット６に収納されている用紙Ｐは、給紙ローラー１５によって用紙供給路１２に送り出される。送り出された用紙は、リタードローラー１６と搬送ローラー１７のニップ部を介して１枚ずつ送り出され、搬送ローラー１７と従動ローラー１８のニップ部を介して、本体側搬送路１３に向けて搬送される。
【００３３】
本体側搬送路１３は、プリンター前後方向Ｙに略水平に延びて排紙口８に至る搬送経路である。本体側搬送路１３に沿って、その用紙搬送方向の上流側から順に、用紙検知レバー２０、紙送りローラー対２１、印刷ヘッド２２、第１排紙ローラー対２３および第２排紙ローラー対２４が配置されている。印刷ヘッド２２はインクジェットヘッドであり、そのノズル面に対して一定のギャップでプラテン２５が配置されている。
【００３４】
用紙供給路１２から本体側搬送路１３に送り込まれた用紙は、搬送ローラー１７によって、用紙検知レバー２０を押し上げながら紙送りローラー対２１に送り込まれる。紙送りローラー対２１に送り込まれた用紙は、紙送りローラー対２１によって印刷ヘッド２２の印刷位置を経由して、第１排紙ローラー対２３に向けて搬送される。第１排紙ローラー対２３に送り込まれた用紙は、第１排紙ローラー対２３および第２排紙ローラー対２４を経由して、排紙口８から排紙トレイ７に排出される。
【００３５】
一方、反転ユニット３の内部に形成されている反転用搬送路１４は、本体側搬送路１３に対して、プリンター上下方向Ｚの下側に配置されており、全体として、プリンター上下方向Ｚにループを描く搬送経路である。反転用搬送路１４は、本体側搬送路１３の上流端に連続して、プリンター前後方向Ｙの後方に略水平に延びる上側経路２６、この上側経路２６に連続してプリンター上下方向Ｚの下方に湾曲して直線状に延びる下向き経路２７、この下向き経路２７に連続してプリンター前後方向Ｙの前方に湾曲して延びる下側経路２８、および、この下側経路２８から上方に湾曲して延びる上向き経路２９を備えている。
【００３６】
上向き経路２９は、その上側の部分がプリンター前方に斜めに湾曲して、上記の用紙供給路１２の途中位置に合流している。したがって、上向き経路２９と用紙供給路１２の下流側の部分は、共通経路３０となっている。この共通経路３０は、用紙搬送ローラー１７の外周面に沿って延びる湾曲経路である。
【００３７】
上側経路２６と下向き経路２７の間には、第１搬送ローラー３１および従動ローラー３２が配置され、下側経路２８と上向き経路２９の間には、第２搬送ローラー３３および従動ローラー３４が配置されている。本体側搬送路１３から反転用搬送路１４に送り込まれる用紙は、第１搬送ローラー３１と従動ローラー３２のニップ部に送り込まれ、第１搬送ローラー３１によって、第２搬送ローラー３３と従動ローラー３４のニップ部に送り込まれ、第２搬送ローラー３３によって、搬送ローラー１７と従動ローラー１８のニップ部に送り込まれる。この後は、用紙は、搬送ローラー１７によって、再び本体側搬送路１３に送り込まれる。
【００３８】
ループ状の反転用搬送路１４を経由することで、用紙は、表裏が反転した状態で本体側搬送路１３に戻される。したがって、反転用搬送路１４を経由させることで、用紙の両面印刷を行うことができる。
【００３９】
また、プリンター１のプリンター本体部２では、本体側搬送路１３はプリンター前後方向Ｙに略直線状に延びる経路であり、本体側搬送路１３を挟み、上側に印刷ヘッド２２等の機構部分が配置され、下側に給紙カセット装着部５および用紙供給路１２が配置されている。また、反転ユニット３はプリンター本体部２の後側に配置されている。反転ユニット３では、その内部の反転用搬送路１４は、本体側搬送路１３に対して上側の部位に後述のロック機構等の機構部分が配置され、下側に反転用搬送路１４が配置されている。したがって、全体として、小型でコンパクトな装置構成となっている。
【００４０】
ここで、本体側搬送路１３の上流端、反転用搬送路１４の上流端、および共通経路３０の下流端の合流部３５には、経路切替フラップ３６が配置されている。経路切替フラップ３６は、そのプリンター前後方向Ｙの後端部を中心として、プリンター上下方向Ｚに回動可能な状態で配置されている。経路切替フラップ３６は、通常の状態では、その自重によって、プリンター前後方向Ｙの前側のフラップ本体部分が搬送ローラー１７の外周面に載った第１切替位置の状態に保持される。
【００４１】
この状態において、本体側搬送路１３の側からバックフィードされる用紙は、経路切替フラップ３６によって反転用搬送路１４の側に案内される。用紙は、反転用搬送路１４を経由して、再び合流部３５に戻る。経路切替用フラップ３６は、合流部３５に戻る用紙によって押し上げられて、第１切替位置から第２切替位置に移動可能である。経路切替用フラップ３６が第２切替位置に押し上げられると、反転用搬送路１４の下流端側の共通経路３０が本体側搬送路１３に連通する。したがって、用紙は、経路切替用フラップ３６を押し上げながら、本体側搬送路１３に送り込まれる。用紙が通過した後は、経路切替用フラップ３６は、再び、自重により第１切替位置に戻る。
【００４２】
給紙カセット６から用紙を供給する場合にも、同様に、用紙供給路１２から本体側搬送路１３に向かう用紙によって経路切替フラップ３６が押し上げられる。用紙が通過した後は、経路切替フラップ３６は自重により第１切替位置に戻る。よって、本体側搬送路１３からバックフィードされる用紙が、共通経路３０を介して、反転用搬送路１４あるいは用紙供給路１２の側に入り込んでしまうことが無い。また、用紙の経路の切り替えを、駆動源、付勢部材等を用いることなく、簡単な構成で行うことができる。
【００４３】
［開閉式の反転ユニット］
図４はプリンター１を後方から見た場合の外観斜視図であり、反転ユニット３が開き位置にある状態を示す。図５は閉じ位置にある反転ユニット３の背面カバーを開けた状態を示す斜視図である。
【００４４】
図２および図４から分かるように、反転ユニット３は、プリンター上下方向Ｚの下端部分に位置する開閉中心線４０を中心として、開閉可能である。図２に示す閉じ位置３Ａにおいては、反転ユニット３はプリンター上下方向Ｚに起立した姿勢となり、そのユニットケース４１の背面カバー５５がプリンター本体部２の左右の背面部分とほぼ同一面上に位置する。図４に示す開き位置３Ｂにおいては、反転ユニット３は、プリンター前後方向Ｙの後方に略水平に倒れた姿勢となる。開き位置３Ｂでは、図４から分かるように、反転用搬送路１４における下流側の上向き経路２９および共通経路３０が開放状態になる。これらの経路における用紙詰まり等の不具合を、反転ユニット３を開けることで簡単に処理できる。
【００４５】
反転ユニット３は、図２に示すように、その背面カバー５５のプリンター上下方向Ｚの上端側の部分の中央に開口部５５ａが形成されている。開口部５５ａからは、一対のレバー操作部９２ａが露出している。詳細は後述するが、一対のレバー操作部９２ａを相互に接近させる方向に操作すると、反転ユニット３のロックが解除され、反転ユニット３を開けることが可能になる。
【００４６】
なお、背面カバー５５には、図２に示すように、一対のカバー開閉レバー４４が露出している。すなわち、開口部５５ａの両側に、一対の開口部５５ｂが形成されており、各開口部５５ｂから、カバー開閉レバー４４が露出している。一対のカバー開閉レバー４４を操作すると、例えば、下方に操作すると、図５に示すように、背面カバー５５のロックが解除され、背面カバー５５を開けることができる。背面カバー５５は、そのプリンター上下方向Ｚの下端部を中心として後方に開けることができる。各カバー開閉レバー４４にはフック４４ａが形成されており、反転ユニット３の本体側には、対応する部位にフック係合部（図示せず）が形成されている。
【００４７】
背面カバー５５を開けると、図５に示すように、反転用搬送路１４における下向き経路２７が開放状態になる。この経路における用紙詰まり等の不具合を、背面カバー５５を開けることで、簡単に処理できる。
【００４８】
次に、図６（ａ）は反転ユニット３を示す斜視図であり、図６（ｂ）はその側面の下端部分を示す部分拡大側面図である。図７はその構成部品を示す分解斜視図であり、図８は反転ユニット３のユニット下部を示す分解斜視図である。
【００４９】
反転ユニット３は、ユニット上部５１およびユニット下部５２から構成されている。ユニット上部５１の内部には、後述のように、反転ユニット３をプリンター本体部２にロックするためのロック機構、経路切替フラップ３６を反転ユニット３に引き込むための引き込み機構等の機構部が組み込まれている。ユニット下部５２の内部には反転用搬送路１４が形成されており、ユニット下部５２の両側には、以下に述べるように、反転ユニット３の開閉中心を規定する回動軸部が配置されている。
【００５０】
ユニット下部５２におけるプリンター幅方向Ｘの両側は、端板５３、５４によって規定され、そのプリンター前後方向Ｙの後側は、端板５３、５４の間に配置した背面カバー５５によって規定されている。端板５３、５４の間には、図８に示す搬送機構部５６が組み込まれている。搬送機構部５６は、端板５３、５４の内側に配置された板金製等のフレーム端板５７、５８を備え、これらの間に各構成部品が組み付けられている。両側の端板５３、５４の外側端面５３ａ、５４ａの下端後側の部分には、矩形の軸受板５９、６０が取り付けられている。
【００５１】
（反転ユニットの回動軸部）
図８から分かるように、フレーム端板５７の外側の端面５７ａには、回動軸部６１が取り付けられている。回動軸部６１は、端面５７ａの下端部におけるプリンター前後方向の後側の角部に取り付けられ、プリンター幅方向Ｘの外方に水平に突出している。この回動軸部６１の先端部には円柱状の支軸６１ａが形成され、支軸６１ａの中心線が反転ユニット３の開閉中心線４０を規定している。
【００５２】
フレーム端板５７の端面５７ａに対峙している端板５３には、回動軸部６１が差し通される軸穴５３ｂが形成されている。また、端板５３の外側の端面に取り付けた軸受板５９には、回動軸部６１の先端の支軸６１ａが回動可能な状態で装着される軸穴５９ａが形成されている。軸受板５９は、プリンター本体部２の凹部４におけるプリンター幅方向Ｘの一方の内側側面４ｂ（図４参照）に固定され、プリンター本体部２の側の回動軸部として機能する。
【００５３】
他方のフレーム端板５８においても、左右対称な状態で、回動軸部６１に対応する回動軸部が取り付けられ、端板５４、軸受板６０には、軸穴５３ｂ、軸穴５９ａにそれぞれ対応する部位が形成されている。
【００５４】
このように、反転ユニット３は、その両端における下端後側の角部に配置されている支軸６１ａを中心として開閉する。すなわち、反転ユニット３におけるプリンター本体部２側の前側の面（第１ユニット面）よりも反対側の後側の面（第２ユニット面）に可能な限り近い位置を中心として開閉する。換言すると、反転ユニット３の開閉中心線（４０）は、反転ユニット３の開閉方向の閉じ側の第１ユニット面よりも開き側の第２ユニット面に可能な限り近い位置にある。このようにすると、開き位置３Ｂの状態において（図４参照）、反転ユニット３の反転用搬送路１４の上向き経路２９だけでなく、その上流側の下側経路２８の部分も大きく開く。したがって、反転用搬送路１４の用紙詰まり等の不具合の回復処理を簡単に行うことができる。
【００５５】
（反転用搬送路の構成）
次に、反転ユニット３のユニット下部５２の搬送機構部５６の構成をさらに詳しく説明する。搬送機構部５６は、図７から分かるように、その後側部分に取り付けた後側紙案内板６５、その下側部分に取り付けた下側紙案内板６６、および、その前側部分に取り付けた前側紙案内板６７を備えている。これらの各案内板６５〜６７の表面には、用紙搬送方向に延びる紙案内リブ６５ａ〜６７ａが所定の間隔で多数形成されている。
【００５６】
後側紙案内板６５の上端側部分６５ｂは、ユニット上部５１の下面５１ａとの間に、反転用搬送路１４の上側経路２６を形成している。後側紙案内板６５の後側部分６５ｃは、背面カバー５５の内側面に形成した紙案内リブ６５ａとの間に、反転用搬送路１４の下向き経路２７を形成している。後側紙案内板６５の下端側部分６５ｄは、下側紙案内板６６との間に、反転用搬送路１４の下側経路２８を形成している。前側紙案内板６７は、プリンター本体部２に形成した紙案内リブ面４５（図４参照）に所定の間隔で対峙しており、これらの間に、反転用搬送路１４の上向き経路２９が形成されている。前側紙案内板６７の上端には、経路切替フラップ３６が配置されている。このように、反転用搬送路１４は、その両面が紙案内リブを備えた各紙案内板（ガイド部材）によって規定されているので、用紙の搬送を円滑に行うことができ、紙詰まり等の不具合も発生しにくい。
【００５７】
両側のフレーム端板５７、５８の間には、複数の第１搬送ローラー３１および複数の従動ローラー３２が、それぞれ同軸上に、一定の間隔で配列されている。同様に、フレーム端板５７、５８の間には、複数の第２搬送ローラー３３および複数の従動ローラー３４が、それぞれ同軸上に、一定の間隔で配列されている。
【００５８】
（搬送ローラーの駆動機構）
次に、図９は、前側紙案内板６７、下側紙案内板６６、端板５４およびフレーム端板５８を省略した状態で示す反転ユニット３の斜視図である。図７および図９を参照して説明すると、反転ユニット３の搬送機構部５６には、第１、第２搬送ローラー３１、３３を回転駆動するための駆動源である搬送モーター６８と、搬送モーター６８の回転を第１、第２搬送ローラー３１、３２に伝達する動力伝達機構６９とが組み込まれている。
【００５９】
搬送モーター６８は、前側紙案内板６７と後側紙案内板６５の間において、フレーム端板５８の側の部位に、プリンター幅方向Ｘに略水平に配置されている。両側のフレーム端板５７、５８の間にはプリンター幅方向Ｘに連結バー７０が架け渡されており、この連結バー７０に搬送モーター６８が取り付けられている。
【００６０】
搬送モーター６８のモーター軸はフレーム端板５８を貫通して、フレーム端板５８と端板５４の間の空間に突出している。フレーム端板５８と端板５４の間の空間に、動力伝達機構６９が組み込まれている。動力伝達機構６９は、モーター軸の軸端部に固定したピニオン７１、上下の複合伝達歯車７２、７３、および上下の伝達歯車７４、７５を備えている。ピニオン７１は、上下の複合伝達歯車７２、７３の大径歯車７２ａ、７３ａに噛み合っている。上下の複合伝達歯車７２、７３の小径歯車７２ｂ、７３ｂは、それぞれ、上下の伝達歯車７４、７５に噛み合っている。上下の伝達歯車７４、７５は、それぞれ、第１搬送ローラー３１のローラー軸３１ａの軸端部、および、第２搬送ローラー３３のローラー軸３３ａの軸端部に固定されている。
【００６１】
搬送モーター６８の回転は、上側の複合伝達歯車７２および上側の伝達歯車７４を介して、第１搬送ローラー３１に伝達され、下側の複合伝達歯車７３および下側の伝達歯車７５を介して第２搬送ローラー３３に伝達される。第１、第２搬送ローラー３１、３３は同一方向に同一周速度で同期回転し、反転用搬送路１４に沿って用紙Ｐの搬送を行う。
【００６２】
このように、反転ユニット３は、プリンター本体部２の搬送機構とは別個に、搬送用の駆動源である搬送モーター６８を備え、上下の第１、第２搬送ローラー３１、３３を回転駆動できる。また、反転用搬送路１４の各経路部分は、上記のように、対向配置した紙案内板によって規定されている。したがって、反転用搬送路１４に沿って精度良く用紙Ｐを搬送することができる。また、対向配置した紙案内板によって用紙Ｐはガイドされるので、用紙詰まりの発生も抑制できる。
【００６３】
（搬送モーターの配線部の構造）
ここで、反転ユニット３の搬送モーター６８からは、給電用および制御用の配線を束ねた配線用ケーブル７６が引き出されている。図６、図８および図９を参照して説明すると、配線用ケーブル７６は、フレーム端板５７をプリンター幅方向Ｘに貫通して延びる配線穴５７ｂおよび端板５３の軸穴５３ｂを通って外側に引き出されている。さらに、端板５３の外側端面５３ａに対峙している軸受板５９に形成した配線穴５９ｂを通って、プリンター本体部２に引き出され、プリンター本体部２の内部の制御盤（図示せず）に接続されている。端板５３の軸穴５３ｂは反転ユニット３の側の配線穴（ユニット配線穴）である。軸受板５９は先に述べたようにプリンター本体部２の内側側面４ｂ（図４参照）に取り付けられるので、その配線穴５９ｂはプリンター本体２の側の配線穴（本体部配線穴）である。
【００６４】
軸穴５３ｂおよび配線穴５９ｂからなる配線部は、図４から分かるように、プリンター本体部２の内側側面４ｂと反転ユニット３の外側端面５３ａにおいて、開閉中心線４０の方向から見た場合に、常に対峙している下側の端面部分に配置されている。すなわち、反転ユニット３が閉じ位置３Ａ（図２参照）から開き位置３Ｂ（図４参照）まで回動しても、常に対峙している本体部端面部分およびユニット端面部分に形成されている。換言すると、反転ユニット３の回動軸部に近い位置に配置されている。
【００６５】
さらに、反転ユニット３の側の軸穴５３ｂは、図６（ｂ）、図８から分かるように、開閉中心線４０を中心として略９０度の角度を張る扇形の穴形状をしている。プリンター本体部２の側の配線穴５９ｂは、図６（ｂ）図９から分かるように、全体として上下に僅かに長い長方形をしており、その上端部にはプリンター前後方向Ｙの後方に円弧状に突出した穴部分が形成されている。この円弧状に突出した穴部分に、配線用ケーブル７６が遊びのある状態で通されている。
【００６６】
このように、開閉する反転ユニット３から固定側のプリンター本体部２に引き出される配線用ケーブル７６の配線部は、反転ユニット３の開閉中心線４０の近傍に位置し、反転ユニット３の開閉に拘わりなく、露出することがない。また、軸穴５３ｂ（配線穴）は開閉中心線４０を中心とする扇形の穴形状をしているので、配線用ケーブル７６に、反転ユニット３の開閉に追従できるように大きな弛みを持たせておく必要がない。すなわち、反転ユニット３の開閉に伴い、配線用ケーブル７６は開閉中心線４０を中心とする円弧状の移動軌跡に沿って移動する。軸穴５３ｂ（配線穴）は、反転ユニット３の開閉に伴う配線用ケーブル７６の移動軌跡を包含する穴形状をしている。本例の軸穴５３ｂ（配線穴）は、開閉中心線４０を中心として配線ケーブル７６の移動範囲を包含する角度を張る扇形の穴形状をしている。したがって、反転ユニット３の開閉に伴って、軸穴５３ｂ（配線穴）の縁が配線用ケーブル７６に当り、配線用ケーブル７６に無理な力が作用することがない。よって、反転ユニット３とプリンター本体部２の間の配線を、余長が少ない状態で簡単に行うことができ、配線用のスペースも少なくて済む。また、これらの間の配線部分が反転ユニット３を開いた際に露出して破損、断線などが発生することもない。
【００６７】
なお、図６から分かるように、反転ユニット３の端板５３の外側端面５３ａには、開閉中心線４０を中心とする円弧状の溝５３ｃが形成されている。軸受板５９の側には、溝５３ｃに沿ってスライドする突部５９ｃが形成されている。溝５３ｃに沿って突部５９ｃをスライドさせながら反転ユニット３を開閉させることで、反転ユニット３の開閉をガタツキなく円滑に行わせることができる。また、溝５３ｃには、一対のノッチ５３ｄ、５３ｅが形成されている。反転ユニット３を開くと、突部５９ｃが、ノッチ５３ｄを乗り越えて、これらのノッチ５３ｄ、５３ｅの間に位置決めされる。よって、反転ユニット３を所定の拘束力を伴って開き位置に保持することができる。他方の端板５４と軸受板６０も同様に構成されている。
【００６８】
（反転ユニットのユニット上部）
図１０は反転ユニット３のユニット上部５１を示す分解斜視図である。図１１および図１２はユニット上部５１の内部構造を示す斜視図であり、図１１は前方からユニット上部５１を見た場合であり、図１２は後方からユニット上部５１を見た場合である。また、図１３および図１４は、それぞれ、ユニット上部５１に組み込まれているロック機構の部分を示す部分斜視図である。
【００６９】
ユニット上部５１は、図１０〜図１２から分かるように、下方に開口した上部カバー８１と、上部カバー８１の下端開口を封鎖している底板８２を備えている。これら上部カバー８１と底板８２の内部には、底板８２に積層配置した板金製の取付板８３が配置されている。底板８２および取付板８３には、反転ユニット３を閉じ位置にロックするロック機構９０の各構成部品、および、経路切替フラップ３６の引き込み機構１００の各構成部品が搭載されている。
【００７０】
（ロック機構）
図４および図１０〜図１４を参照して、反転ユニット３のロック機構９０を説明する。まず、ロック機構９０は、図４に示すように、プリンター本体部２の凹部４の左右の内側側面４ａ、４ｂに形成した本体側係合穴９１Ｌ、９１Ｒを備えている（以下、これらを纏めて「本体側係合穴９１」と呼ぶ場合もある）。
【００７１】
また、ロック機構９０は、図１１から分かるように、反転ユニット３のユニット上部５１に組み付けたユニット開閉用の一対の操作レバー９２Ｌ、９２Ｒを備えている。操作レバー９２Ｌ、９２Ｒは、左右対称な形状をしており、左右対称な状態でプリンター幅方向Ｘに水平に配置されている（以下、これらを纏めて、「操作レバー９２」と呼ぶ場合もある）。
【００７２】
操作レバー９２は、プリンター前後方向Ｙに延びるレバー操作部９２ａと、レバー操作部９２ａにおけるプリンター前方の端からプリンター幅方向Ｘに略直角に折れ曲がって直線状に延びるレバー脚部９２ｂを備えている。操作レバー９２はプリンター幅方向Ｘにスライド可能である。また、レバー脚部９２ｂの先端部は、プリンター本体部２の本体側係合穴９１に係合可能なユニット側係合部９２ｃである。
【００７３】
ユニット側係合部９２ｃが本体側係合部９１に差し込まれて係合した位置が、操作レバー９２のロック位置である。図１３には、操作レバー９２がプリンター幅方向Ｘの外方にスライドして、ロック位置にある状態を示している。また、操作レバー９２のユニット側係合部９２ｃが本体側係合部９１から引き出されて外れた位置が操作レバー９２のロック解除位置である。図１１および図１２には、操作レバー９２がロック解除位置にある状態を示している。
【００７４】
左右の操作レバー９２Ｌ、９２Ｒの間には、プリンター幅方向Ｘに配置したロック用コイルバネ９３が配置されている。ロック用コイルバネ９３によって、左右の操作レバー９２Ｌ、９２Ｒは、常に、プリンター幅方向Ｘの外方（ロック位置に向かう方向）に付勢されている。
【００７５】
左右の操作レバー９２Ｌ、９２Ｒには、図１０、図１１に示すように、プリンター前後方向Ｙから一定の間隔で対峙しているラック９２ｄが形成されている。これらのラック９２ｄはプリンター幅方向Ｘに延びており、これらの間には、双方に噛み合うピニオン９４が回転自在の状態で配置されている。一対のラック９２ｄとピニオン９４とによって、左右の操作レバー９２Ｌ、９２Ｒは、同期して、プリンター幅方向Ｘに逆向きに同一量だけスライドする。
【００７６】
次に、ロック機構９０は、操作レバー９２をプリンター幅方向のＸの内側に移動したロック解除位置（図１１、図１２に示す位置）に保持するロック解除保持機構９５を備えている。ロック解除保持機構９５は、一方の操作レバー９２Ｒの側に配置されたレバー係合部材９６を備えている。レバー係合部材９６は、操作レバー９２Ｒの側のプリンター幅方向Ｘの端部において、プリンター前後方向Ｙに向けて水平に配置されている。レバー係合部材９６は、プリンター前後方向Ｙにスライド可能であり、係合用コイルバネ９７によって、常に、プリンター前方に向けて付勢されている。
【００７７】
また、ロック解除保持機構９５は、図４に示すように、プリンター本体部２の側に配置した本体側当接部９８を備えている。本体側当接部９８は、プリンター本体部２の凹部４において、レバー係合部材９６の先端面９６ａに対峙可能な部位に配置されている。反転ユニット３を閉じると、本体側当接部９８がレバー係合部材９６の先端面９６ａに当り、レバー係合部材９６はプリンター前後方向Ｙの後方に押し込まれる。図１３は後方に押し込まれた位置にあるレバー係合部材９６を示してある。反転ユニット３を閉じ位置から開くと、レバー係合部材９６は、本体側当接部９８から離れ、当該本体側当接部９８による押し込み状態が解除される。この結果、レバー係合部材９６は、係合用コイルバネ９７によって、プリンター前方に引き戻される。図１１、図１２、図１４には、レバー係合部材９６がプリンター前方に引き戻された状態を示してある。
【００７８】
ここで、図１３、図１４から分かるように、レバー係合部材９６におけるプリンター前後方向Ｙの後端部分には、プリンター上下方向Ｚの上方に突出した係合用突出部９６ｂと、この係合用突出部９６ｂの後側から更に上方に突出している当接板部分９６ｃとが形成されている。操作レバー９２Ｒにおけるユニット係合部９２ｃよりも内側の部位には、プリンター上下方向Ｚの下方に突出している係合用突出部９２ｅが形成されている。
【００７９】
図１３に示すように、操作レバー９２Ｒがプリンター幅方向Ｘの外方に突出しているロック位置にある状態では、レバー係合部材９６は本体側当接部９８によって後方に押し込まれた位置にある。ロックを解除するために、操作レバー９２Ｒを操作してプリンター幅方向Ｘの内側にスライドさせる。この結果、図１１、図１４に示すように、操作レバー９２Ｒの係合用突出部９２ｅにおけるプリンター幅方向Ｘの外方を向いている垂直端面９２ｆが、レバー係合部材９６の係合用突出部９６ｂよりもプリンター幅方向Ｘの内側に移動する。
【００８０】
先に述べたように、反転ユニット３のロックを解除して後方に開くと、レバー係合部材９６は図１３に示す位置から前方に引き戻され、図１１、１４に示す位置となる。この位置では、レバー係合部材９６の当接板部分９６ｃがプリンター前後方向Ｙの後側から、ロック解除位置にある操作レバー９２に当接する。また、操作レバー９２の垂直端面９２ｆに、レバー係合部材９６の係合用突出部９６ｂにおけるプリンター幅方向Ｘの内側の垂直端面９６ｄが対峙する。操作者が操作レバー９２から手を離すと、ロック用コイルバネ９３によって操作レバー９２Ｒがプリンター幅方向Ｘの外方に押し出されて、図１３に示すロック位置に戻ろうとする。しかし、図１１、図１４に示すように、操作レバー９２Ｒの垂直端面９２ｆがレバー係合部材９６の垂直端面９６ｄに当り、操作レバー９２がロック位置に移動できず、ロック解除位置に保持される。
【００８１】
このように、ロック解除保持機構９５は、ロック解除位置にある操作レバー９２Ｒに係合可能な係合位置と、ロック解除位置にある操作レバー９２Ｒに係合しない非係合位置にスライド可能なレバー係合部材９６を備えている。また、レバー係合部材９６を係合位置に向けて付勢している係合用コイルバネ９７と、プリンター本体部２に配置した本体側当接部９８とを備えている。反転ユニット３が閉じ位置の状態では、レバー係合部材９６は本体側当接部９８によって非係合位置に押されており、操作レバー９２はロック解除位置に操作することが可能である。操作レバー９２がロック解除位置に操作されて反転ユニット３が閉じ位置から開き方向に移動すると、レバー係合部材９６は本体側当接部９８から離れて係合位置にスライドする。これにより、操作レバー９２はロック解除位置に保持される。反転ユニット３を閉じる方向に回動すると、閉じ位置手前で、レバー係合部材９６は本体側当接部９８によって押し込まれて移動するので、操作レバー９２の移動が可能になり、操作レバー９２が、ロック用コイルバネ９３の付勢力によって、ロック位置に移動して、反転ユニット３のロック状態が形成される。
【００８２】
したがって、ロック機構９０においては、反転ユニット３のロックを解除して開き方向に移動させる際にのみ、操作レバー９２をロック解除方向に操作すればよい。この後は、操作レバー９２がロック解除位置に保持されるので、操作者は、操作レバー９２を反転ユニット３を開く方向に操作するだけでよい。また、反転ユニット３を閉じる際にも同様であり、単に、操作レバー９２を、反転ユニット３を閉じる方向に操作するだけでよい。すなわち、反転ユニット３を閉じ位置に押し込むと、レバー係合部材９６が押し込まれて、当該レバー係合部材９６が操作レバー９２から外れる。よって、操作レバー９２がバネ力によって移動してロック状態が自動的に形成される。したがって、操作性に優れたロック機構を実現できる。
【００８３】
（引き込み機構）
次に、反転ユニット３のユニット上部５１に搭載されている経路切替フラップ３６の引き込み機構１００を説明する。
【００８４】
まず、図８に示すように、経路切替フラップ３６は、反転ユニット３の両側のフレーム端板５７、５８の間に架け渡されており、プリンター前後方向Ｙにスライド可能であり、プリンター幅方向Ｘに延びる軸線回りに回動可能である。経路切替フラップ３６は、プリンター幅方向Ｘの両端に、支軸部１０１（図には一方の支軸部のみを示す。）が形成されている。フレーム端板５７、５８には、それぞれ、プリンター前後方向Ｙに長いスライド穴１０２が形成されている。各支軸部１０１は、各スライド穴１０２に、スライド可能、かつ、回動可能な状態で、差し通されている。
【００８５】
次に、図１０、図１１、図１３に示すように、ロック機構９０の操作レバー９２には、プリンター幅方向Ｘに所定範囲に亘ってラック１０３が形成されている。ラック１０３は、底板８２に回転自在の状態で取り付けたピニオン１０４に噛み合っている。ピニオン１０４の下端には、図１０に示すように、ピニオン１０４よりも大径の伝達歯車１０５が同軸に固定されている。伝達歯車１０５は、スライド部材１０６においてプリンター前後方向Ｙに所定の範囲に亘って形成したラック１０６ａに噛み合っている。スライド部材１０６は、取付板８３と底板８２の間に配置され、取付板８３に形成したプリンター前後方向Ｙに長いスライド穴１０７に沿って、プリンター前後方向Ｙにスライド可能である。スライド部材１０６には連結部１０６ｂが形成されており、連結部１０６ｂは経路切替フラップ３６に連結されている。
【００８６】
操作レバー９２が図１３に示すロック位置にある状態では、スライド部材１０６はプリンター前後方向Ｙにおける最も前側の位置にある。スライド部材１０６に連結されている経路切替フラップ３６は、図８に示すように、反転ユニット３の前面からプリンター前方に突出した状態にある。
【００８７】
操作レバー９２を操作して図１１、図１３に示すロック解除位置にスライドさせると、操作レバー９２のラック１０３に噛み合っているピニオン１０４が反時計回りに回転する。ピニオン１０４と共に伝達歯車１０５も反時計回りに回転する。この結果、伝達歯車１０５に噛み合っているラック１０６ａが形成されているスライド部材１０６が、プリンター前後方向Ｙの後方にスライドする。よって、スライド部材１０６に連結されている経路切替フラップ３６もプリンター後方に移動して、図１１に示すように、反転ユニット３内に引き込まれた状態になる。逆に、操作レバー９２が図１１に示すロック解除位置から図１３に示すロック位置に戻ると、ラック１０３、ピニオン１０４、伝達歯車１０５およびスライド部材１０６からなる連動機構によって、経路切替フラップ３６はプリンター前方に移動して、反転ユニット３から前方に突出した状態に戻る。
【００８８】
このように、引き込み機構１００は、ロック機構９０による反転ユニット３のロックが解除されると、経路切替フラップ３６を、反転ユニット３から突出した突出位置から反転ユニット３内に引き込む。また、ロック機構９０により反転ユニット３が閉じ位置にロックされると、経路切替フラップ３６を反転ユニット３から突出した突出位置に戻す。
【００８９】
反転ユニット３が開けられている状態において、経路切替用フラップ３６が反転ユニット３から突出していると、経路切替フラップ３６がプリンター周囲の部位に当たり損傷するなどの弊害が発生する。また、操作者の手、指等が誤って経路切替用フラップ３６に当ってしまうことがある。本例では、ロック解除状態において経路切替用フラップ３６が反転ユニット３内に引き込まれた状態に保持される。よって、経路切替フラップ３６がプリンター周囲の部位に当って破損するなどの弊害を回避できる。
【００９０】
また、伝達歯車１０５によって、操作レバー９２の操作量が増幅されて経路切替フラップ３６に伝達される。よって、経路切替フラップ３６の引き込み量と操作レバー９２の操作量が相違する場合であっても、適切な伝達歯車１０５を用いることで、経路切替フラップ３６を確実に引き込むことができる。
【符号の説明】
【００９１】
１    プリンター、２    プリンター本体部（装置本体部）、３    反転ユニット、３Ａ  閉じ位置、３Ｂ  開き位置、４    凹部、４ａ  内側側面、４ｂ  内側側面、５    給紙カセット装着部、６    給紙カセット、７    排紙トレイ、８    排紙口、９    操作面、１０ａ，１０ｂ  開閉蓋、１１  開閉蓋、
１２  用紙供給路、１３  本体側搬送路、１４  反転用搬送路、１５  給紙ローラー、１６  リタードローラー、１７  搬送ローラー、１８  従動ローラー、２０用紙検知レバー、２１  紙送りローラー対、２２  印刷ヘッド、２３  第１排紙ローラー対、２４  第２排紙ローラー対、２５  プラテン、２６  上側経路、２７  下向き経路、２８  下側経路、２９  上向き経路、３０  共通経路、３１  第１搬送ローラー、３１ａ  ローラー軸、３２  従動ローラー、３３  第２搬送ローラー、３３ａ  ローラー軸、３４  従動ローラー、３５  合流部、３６  経路切替フラップ、４０  開閉中心線、４４  開閉レバー、４４ａ  フック、
５１  ユニット上部、５２  ユニット下部、５３  端板、５３ａ  外側端面、５３ｂ  軸穴、５３ｃ  溝、５３ｄ  ノッチ、５３ｅ  ノッチ、５４  端板、５４ａ  外側端面、５５  背面カバー、５５ａ  開口部、５５ｂ  開口部、５６  搬送機構部、５７  フレーム端板、５７ａ  端面、５７ｂ  配線穴、５８  フレーム端板、５９  軸受板、５９ｂ  配線穴、５９ｃ  突部、６０  軸受板、６１  回動軸部、６１ａ  支軸、６５  後側紙案内板、６６  下側紙案内板、６７  前側紙案内板、６５ａ〜６７ａ  リブ、６５ｂ  上端側部分、６５ｃ  後側部分、６５ｄ  下端側部分、６８  搬送モーター、６９  動力伝達機構、７０  連結バー、７１  ピニオン、７２  複合伝達歯車、７２ａ  大径歯車、７２ｂ  小径歯車、７３  複合伝達歯車、７３ａ  大径歯車、７３ｂ  小径歯車、７４  伝達歯車、７５  伝達歯車、  ７６  配線用ケーブル、
８１  上部カバー、８２  底板、８３  取付板、
９０  ロック機構、９１Ｌ  本体側係合穴、９１Ｒ  本体側係合穴、９１  本体側係合穴、９２Ｌ  操作レバー、９２Ｒ  操作レバー、９２  操作レバー、９２ａ  レバー操作部、９２ｂ  レバー脚部、９２ｃ  ユニット側係合部、９２ｄ  ラック、９２ｅ  係合用突出部、９２ｆ  垂直端面、９３  ロック用コイルバネ、９４  ピニオン、
９５  ロック解除保持機構、９６  レバー係合部材、９６ａ  先端面、９６ｂ  係合用突出部、９６ｃ  当接板部分、９６ｄ  垂直端面、９７  係合用コイルバネ、９８  本体側当接部、
１００  引き込み機構、１０１  支軸、１０２  スライド穴、１０３  ラック、１０４  ピニオン、１０５  伝達歯車、１０６  スライド部材、１０６ａ  ラック、１０６ｂ  連結部
【図１】
2014166893.tif 000003
【図２】
2014166893.tif 000004
【図３】
2014166893.tif 000005
【図４】
2014166893.tif 000006
【図５】
2014166893.tif 000007
【図６】
2014166893.tif 000008
【図７】
2014166893.tif 000009
【図８】
2014166893.tif 000010
【図９】
2014166893.tif 000011
【図１０】
2014166893.tif 000012
【図１１】
2014166893.tif 000013
【図１２】
2014166893.tif 000014
【図１３】
2014166893.tif 000015
【図１４】
2014166893.tif 000016